(57)【要約】    【課題】放送用端末機により、無線インターフェースを介して受信されたデジタルマルチメディア放送信号を、１つ以上の移動通信端末機に中継することによって、デジタルマルチメディア放送信号の受信が可能な移動通信端末機の製造コストを低減できるようにした、デジタルマルチメディア放送を受信する移動通信端末機及びそのシステムを提供する。    【解決手段】デジタルマルチメディア放送を受信する移動通信端末機及びそのシステムは、受信したデジタルマルチメディア放送信号を中継する放送用端末機１００と、放送用端末機１００により中継されたデジタルマルチメディア放送信号をディスプレイする１つ以上の移動通信端末機２００とを含む。【選択図】図２
2006141020.tif 000002
【特許請求の範囲】
【請求項１】
受信したデジタルマルチメディア放送信号を中継する放送用端末機と、
前記放送用端末機により中継されたデジタルマルチメディア放送信号をディスプレイする１つ以上の移動通信端末機と、
を含むことを特徴とするデジタルマルチメディア放送を受信するシステム。
【請求項２】
前記放送用端末機は、前記受信したデジタルマルチメディア放送信号を中継する送信部をさらに含むことを特徴とする請求項１に記載のデジタルマルチメディア放送を受信するシステム。
【請求項３】
前記送信部は、使用者が視聴しようとする放送チャネルを要請する信号を受信する機能を有することを特徴とする請求項２に記載のデジタルマルチメディア放送を受信するシステム。
【請求項４】
前記移動通信端末機は、前記中継されたデジタルマルチメディア放送信号を受信する受信部をさらに含むことを特徴とする請求項１に記載のデジタルマルチメディア放送を受信するシステム。
【請求項５】
前記受信部は、使用者が視聴しようとする放送チャネルを要請する信号を出力する機能を有することを特徴とする請求項４に記載のデジタルマルチメディア放送を受信するシステム。
【請求項６】
前記移動通信端末機は、携帯電話、ＰＤＡ(Personal Digital Assistants)及びノートブックコンピュータの何れか１つであることを特徴とする請求項１に記載のデジタルマルチメディア放送を受信するシステム。
【請求項７】
放送用端末機により送信されたデジタルマルチメディア放送信号を受信する受信部と、
前記受信部で受信したデジタルマルチメディア放送信号をディスプレイするディスプレイ部と、
を含むことを特徴とするデジタルマルチメディア放送を受信する移動通信端末機。
【請求項８】
前記放送用端末機は、デジタルマルチメディア放送信号を受信し、この受信したデジタルマルチメディア放送信号を中継する送信部を含むことを特徴とする請求項７に記載のデジタルマルチメディア放送を受信する移動通信端末機。
【請求項９】
前記受信部は、使用者が視聴しようとする放送チャネルを要請する信号を出力する機能を有することを特徴とする請求項８に記載のデジタルマルチメディア放送を受信する移動通信端末機。
【請求項１０】
前記送信部は、使用者が視聴しようとする放送チャネルを要請する信号を受信する機能を有することを特徴とする請求項９に記載のデジタルマルチメディア放送を受信する移動通信端末機。
【発明の詳細な説明】
【技術分野】
【０００１】
本発明は、移動通信端末機に関し、特に、デジタルマルチメディア放送の受信が可能な移動通信端末機の製造コストを低減できるようにした、デジタルマルチメディア放送を受信する移動通信端末機及びシステムに関する。
【背景技術】
【０００２】
一般に、移動通信端末機は、ＢＳ(Base Station)により形成されるサービス領域内で移動しながら、ＭＳＣ(Mobile Switching Center)のスイッチング制御を通じて、何時何処でも直ちに相手方を無線呼出及び無線接続して通信することができる装置であって、音声通信だけでなく、記号、数字及び文字などからなるデータ通信、並びに、画像信号が含まれるマルチメディア通信が可能である。
【０００３】
最近、放送用端末機、ＰＤＡ(Personal Digital Assistants)端末機及びスマート端末機など、多様な機能を提供することができる移動通信端末機が開発されているが、特に、衛星を通じて、オーディオ、ビデオ及びデータサービスを包括するデジタルマルチメディア放送をサポートできる放送用端末機の開発が活発になっている。
【０００４】
このような放送用端末機のうち、ＤＭＢ(Digital Multimedia Broadcasting)端末機を例に挙げて説明すると、ＤＭＢ端末機は、ＥＰＧ(Electronic Programming Guide)チャネルを介して放送ガイド情報の伝送を受け、この伝送された放送ガイド情報をディスプレイ（表示）し、使用者から所望の放送チャネルの選択を受けて、選択された放送チャネルを介してデジタルマルチメディア放送信号を受信する。
【０００５】
このようなＤＭＢ端末機は、携帯型及び移動型放送受信端末機の複合的な形態に発展しており、一般の移動通信端末機の機能を提供できる形態と、車両に装着可能な形態と、一般の移動通信端末機の機能を提供できない形態とに大別される。
【発明の開示】
【発明が解決しようとする課題】
【０００６】
しかしながら、デジタルマルチメディア放送を視聴するためにはＤＭＢ端末機を購入しなければならないが、衛星を通じてオーディオ、ビデオ及びデータを処理できるＤＭＢチップが高価であるだけでなく、サービス価格も高いため、使用者の負担が大きくなるという欠点があった。
【０００７】
以上説明したように、従来のＤＭＢ端末機においては、衛星を通じて受信したオーディオ、ビデオ及びデータを、ＤＭＢチップを用いて処理するため、高価なＤＭＢチップを装着しなければならず、ＤＭＢ端末機の製造コストが上昇するという問題点があった。
【０００８】
本発明は、このような従来技術の問題点を解決するためになされたもので、放送用端末機により無線インターフェースを介して受信されたデジタルマルチメディア放送信号を、１つ以上の移動通信端末機に中継することによって、デジタルマルチメディア放送信号の受信が可能な移動通信端末機の製造コストを低減できるようにした、デジタルマルチメディア放送を受信する移動通信端末機及びそのシステムを提供することを目的とする。
【課題を解決するための手段】
【０００９】
上記の目的を達成するために、本発明によるデジタルマルチメディア放送を受信するシステムは、（デジタルマルチメディア放送信号を受信し、この）受信したデジタルマルチメディア放送信号を中継する放送用端末機と、前記放送用端末機により中継されたデジタルマルチメディア放送信号をディスプレイする１つ以上の移動通信端末機とを含むことを特徴とする。
【００１０】
また、本発明によるデジタルマルチメディア放送を受信する移動通信端末機は、放送用端末機により送信されたデジタルマルチメディア放送信号を受信する受信部と、前記受信部で受信したデジタルマルチメディア放送信号をディスプレイするディスプレイ部とを含むことを特徴とする。
【発明の効果】
【００１１】
本発明によるデジタルマルチメディア放送を受信する移動通信端末機及びそのシステムにおいては、放送用端末機により、無線インターフェースを介して受信されたデジタルマルチメディア放送信号を、１つ以上の移動通信端末機に中継することによって、デジタルマルチメディア放送信号の受信が可能な移動通信端末機の製造コストを低減できるという効果がある。
【発明を実施するための最良の形態】
【００１２】
以下、放送用端末機により、無線インターフェースを介して受信されたデジタルマルチメディア放送信号を、１つ以上の移動通信端末機に中継することによって、デジタルマルチメディア放送信号の受信が可能な移動通信端末機の製造コストを低減できるようにした、本発明によるデジタルマルチメディア放送を受信する移動通信端末機及びシステムの好ましい実施形態について、添付の図面を参照して説明する。なお、本発明の放送用端末機は、ＤＭＢ(Digital Multimedia Broadcasting)システムだけでなく、ＤＶＢ−Ｈ(Digital Video Broadcasting Handheld)やＭｅｄｉａ−Ｆｌｏ(Media-Forward link only)システムなどのように、デジタルマルチメディア放送信号を送受信できる、国家や地域毎に異なる何れのシステムにも適用することができるものである。
【００１３】
本発明によるデジタルマルチメディア放送を受信する移動通信端末機の実施形態において、前記移動通信端末機は、携帯電話のみに制限されるものではなく、例えばＰＤＡ、ノートブックコンピュータを含む端末機の何れかであってもよい。
【００１４】
図１は、本発明による移動通信端末機のデジタルマルチメディア放送を受信する原理を説明するための図である。
【００１５】
図１に示すように、本発明によるデジタルマルチメディア放送を受信するシステムは、デジタルマルチメディア放送をサービスするための衛星４００と、この衛星４００を通じてデジタルマルチメディア放送信号を受信する放送用端末機１００と、この放送用端末機１００からデジタルマルチメディア放送信号を受信する１つ以上の移動通信端末機２００とを含む。ここで、陰影地域で衛星４００から受信されたデジタルマルチメディア放送信号を移動通信端末機２００に中継するギャップフィラー５００がさらに含まれてもよい。
【００１６】
このとき、放送用端末機１００は、デジタルマルチメディア放送信号を受信できるだけでなく、一般的な移動通信端末機２００の機能(例えば、呼送受信機能、メッセージ送受信機能及びカメラ撮影機能など)をも提供することができる。
【００１７】
以下、このような本発明によるデジタルマルチメディア放送を受信するシステムについて図２を参照して説明する。
【００１８】
図２は、本発明によるデジタルマルチメディア放送を受信するシステムの構成を示すブロック図である。
【００１９】
図２に示すように、本発明によるデジタルマルチメディア放送を受信するシステムは、第１デコーダ１１０、制御器１２０、デマルチプレクサ(De-Multiplexer；Ｄｅ−ＭＵＸ)１３０、送信部１４０、第２デコーダ１５０及び第１ディスプレイ部１６０を含む放送用端末機１００と、この放送用端末機１００からデジタルマルチメディア放送を受信する受信部２４０、第３デコーダ２５０及び第２ディスプレイ部２６０を含む移動通信端末機２００とを含んで構成される。
【００２０】
以下、このように構成された本発明によるデジタルマルチメディア放送を受信するシステムの動作原理を詳細に説明する。
【００２１】
まず、放送用端末機１００は、ＥＰＧチャネルを介して放送ガイド情報の伝送を受け、この伝送された放送ガイド情報を使用者環境に合わせて第１ディスプレイ部１６０にディスプレイし、使用者から所望の放送チャネルの選択を受けて、選択された放送チャネルを介してデジタルマルチメディア放送信号を受信する。
【００２２】
第１デコーダ１１０は、選択された放送チャネルを介して受信されたデジタルマルチメディア放送信号を復号し、この復号したデジタルマルチメディア放送信号を出力する。デマルチプレクサ１３０は、この出力されたデジタルマルチメディア放送信号からＭＰＥＧ４ ＥＳ(Elementary Stream)を抽出し、この抽出したＭＰＥＧ４ ＥＳを出力する。
【００２３】
このとき、デマルチプレクサ１３０は、抽出したＭＰＥＧ４ ＥＳを、放送用端末機１００にディスプレイするために、第２デコーダ１５０に出力すると共に、移動通信端末機２００にディスプレイするために、送信部１４０に出力する。
【００２４】
次に、第２デコーダ１５０は、デマルチプレクサ１３０から出力されたＭＰＥＧ４ ＥＳを復号し、この復号したＭＰＥＧ４ ＥＳを第１ディスプレイ部１６０に出力する。これにより、放送用端末機１００は、衛星４００を通じて受信したデジタルマルチメディア放送信号を、第１ディスプレイ部１６０にディスプレイすることができる。ここで、第２デコーダ１５０は、システムデコーダと、ＡＶＣ(Advanced Video Coding)デコーダと、ＢＳＡＣ(Bit Sliced Arithmetic Coding)デコーダとを含んで構成することができる。
【００２５】
一方、送信部１４０は、デマルチプレクサ１３０から出力されたＭＰＥＧ４ ＥＳを、サービス領域内（例えば、車両または建物の内部）に送信し、このサービス領域内に属する移動通信端末機２００の受信部２４０は、送信部１４０から送信されたＭＰＥＧ４ ＥＳを受信する。ここで、前記サービス領域内では、デジタルマルチメディア放送サービスが１つ以上の移動通信端末機２００に提供される。また、放送用端末機１００の送信部１４０及び移動通信端末機２００の受信部２４０として、例えばＷＩＦＩ(Wireless Internet Platform for Interoperability)を無線インターネットプラットホームとして用いる。
【００２６】
例えば、車両の内部に設置された放送用端末機１００に、衛星４００を通じてデジタルマルチメディア放送信号が受信されると、放送用端末機１００は、受信したデジタルマルチメディア放送信号を、送信部１４０を介して車両の内部に送信する。すると、該車両内部の１つ以上の移動通信端末機２００は、放送用端末機１００により送信されたデジタルマルチメディア放送信号を受信し、この受信したデジタルマルチメディア放送信号をディスプレイする。
【００２７】
但し、移動通信端末機２００は、放送用端末機１００と無線通信を行うために、該放送用端末機１００に登録されているべきである。ここで、移動通信端末機２００は、複数の放送用端末機に登録する（される）されることができ、かかる登録後においては、登録した（された）複数の放送用端末機の何れかを選択することにより、該当する放送用端末機１００に容易に接続することができる。
【００２８】
そして、移動通信端末機２００が、その受信部２４０を介して、該移動通信端末機２００に登録された放送用端末機１００の送信部１４０に、視聴しようとするチャネルを要請することにより、（ＤＭＢ）制御部１２０は、要請されたチャネルに該当するデジタルマルチメディア放送信号を受信できるように、第１デコーダ１１０に制御信号を出力する。
【００２９】
ここで、放送用端末機１００の送信部１４０、及び移動通信端末機２００の受信部２４０に適用されたプロトコルスタックについて、図３を参照して説明する。
【００３０】
図３は、本発明によるデジタルマルチメディア放送を受信するシステムに適用されたプロトコルスタックを示す図である。
【００３１】
図３に示すように、本発明によるデジタルマルチメディア放送を受信する移動通信端末機２００が、使用者が視聴しようとするチャネルを、放送用端末機１００に要請することにより(Ａ)、放送用端末機１００は、要請されたチャネルに該当するデジタルマルチメディア放送信号を受信し、この受信したデジタルマルチメディア放送信号を、移動通信端末機２００に提供する(Ｂ)、という過程が分かる。
【００３２】
つまり、移動通信端末機２００の第３デコーダ２５０は、受信部２４０から出力されたＭＰＥＧ４ ＥＳを復号し、この復号したＭＰＥＧ４ ＥＳを第２ディスプレイ部２６０に出力することにより、移動通信端末機２００は、衛星４００を通じて受信したデジタルマルチメディア放送信号を、第２ディスプレイ部２６０にディスプレイすることができる。ここで、第３デコーダ２５０は、システムデコーダと、ＡＶＣデコーダと、ＢＳＡＣデコーダとを含んで構成することができる。
【図面の簡単な説明】
【００３３】
【図１】本発明による移動通信端末機のデジタルマルチメディア放送を受信する原理を説明するための図である。
【図２】本発明によるデジタルマルチメディア放送を受信するシステムの構成を示すブロック図である。
【図３】本発明によるデジタルマルチメディア放送を受信するシステムに適用されたプロトコルスタックを示す図である。
【符号の説明】
【００３４】
１００  放送用端末機
１１０  第１デコーダ
１２０  制御器
１３０  デマルチプレクサ
１４０  送信部
１５０  第２デコーダ
１６０  第１ディスプレイ部
２００  移動通信端末機
２４０  受信部
２５０  第３デコーダ
２６０  第２ディスプレイ部
３００  放送局
４００  衛星
５００  ギャップフィラー
【図１】
2006141020.tif 000003
【図２】
2006141020.tif 000004
【図３】
2006141020.tif 000005